(57)【要約】【課題】感染症の予防効果を向上して小型化できる送風装置を提供する。【解決手段】空気の流入口２０及び吹出口５を開口して流入口２０と吹出口５とを連結する送風通路７を有した本体筐体２と、送風通路７に配される送風機１０と、流入口２０を覆って択一的に取り付けられる着脱可能な第１装着部１３及び第２装着部１５とを備えた送風装置１であって、第１装着部１３は第１吸込口４を開口して内部に捕虫空間２５を形成する第１装着筐体１４と、第１装着筐体１４に取り付けられるとともに粘着面５１ａを有して虫を捕獲する捕虫シート５１とを有し、第２装着部１５は第２吸込口４０を開口して第２装着筐体１６と第２装着筐体１６内に配して水を貯水する水槽３４と水槽３４に浸漬して吸水するとともに第２装着筐体１６内を流通する空気を加湿する加湿フィルタ３６とを有する。【選択図】図２
2018004212.tif 000002
【特許請求の範囲】
【請求項１】
空気の流入口及び吹出口を開口して前記流入口と前記吹出口とを連結する送風通路を有した本体筐体と、前記送風通路に配される送風機と、前記流入口を覆って択一的に取り付けられる着脱可能な第１装着部及び第２装着部とを備えた送風装置であって、
前記第１装着部は第１吸込口を開口して内部に捕虫空間を形成する第１装着筐体と、前記第１装着筐体に取り付けられるとともに粘着面を有して虫を捕獲する捕虫シートとを有し、
前記第２装着部は第２吸込口を開口する第２装着筐体と、前記第２装着筐体内に配して水を貯水する水槽と、前記水槽に浸漬して吸水するとともに前記第２装着筐体内を流通する空気を加湿する加湿フィルタとを有することを特徴とする送風装置。
【請求項２】
前記第１装着部が第１装着筐体内に前記流入口に面して着脱可能に配されるとともに塵埃を捕集する集塵部を有し、前記第１装着部から取り外された前記集塵部を前記第２装着筐体の第２吸込口と前記加湿フィルタとの間に取り付け可能にしたことを特徴とする請求項１に記載の送風装置。
【請求項３】
前記第１装着筐体に前記捕虫シートと前記水槽とを同時に取り付け可能にしたことを特徴とする請求項１に記載の送風装置。
【請求項４】
前記水槽の上面に格子状部材を設けたことを特徴とする請求項３に記載の送風装置。
【請求項５】
前記第２装着筐体が前記第１装着筐体と共通の部材から成り、前記第１装着筐体に対して前記捕虫シート、前記水槽及び前記加湿フィルタを着脱可能にしたことを特徴とする請求項３または請求項４に記載の送風装置。
【発明の詳細な説明】
【技術分野】
【０００１】
本発明は送風装置に関する。
【背景技術】
【０００２】
特許文献１には従来の送風装置が開示されている。この送風装置は空気の吸込口及び吹出口をそれぞれ背面及び上面に開口した筐体を有する。筐体は室内の床面等に設置され、送風機を内装する。吸込口には空気中の塵埃を捕集するフィルタが配される。
【０００３】
上記構成の送風装置において、送風機が駆動されると吸込口から空気が吸い込まれる。吸込口から吸い込まれた空気はフィルタにより塵埃が捕集された後に吹出口から外部へ送出される。これにより、室内の空気を清浄化して循環させることができる。
【０００４】
上記特許文献１の送風装置によれば、空気中の塵埃を捕集するため、塵埃等による健康被害を低減することができる。また、近年の健康志向の高まりから、感染症等を低減する送風装置の要望が高くなっている。
【０００５】
特許文献２に記載の捕虫装置は、前面を扉により開閉して側面に開口部を開口した筐体と、筐体内に虫を誘引する誘引光を出射する誘引光源と、扉の背面に配されて虫を捕獲する粘着性の捕虫シートとを備えている。
【０００６】
扉を閉じて誘引光源を点灯すると、側面の開口部を介して誘引光が筐体の外部に向けて出射される。虫は側面の開口部を介して筐体内に進入し、捕虫シートにより捕虫される。
【先行技術文献】
【特許文献】
【０００７】
【特許文献１】特開２００９−６６４６６号公報
【特許文献２】特開２００６−２３０２５８号公報
【発明の概要】
【発明が解決しようとする課題】
【０００８】
上記の捕虫シートにより、送風装置に捕虫機能を設けることができる。しかしながら、蚊等の虫を介した感染症等を低減することができるが、インフルエンザ等の空気感染する感染症を予防することができない。
【０００９】
本発明は、感染症の予防効果を向上できる送風装置を提供することを目的とする。
【課題を解決するための手段】
【００１０】
上記目的を達成するために本発明は、空気の流入口及び吹出口を開口して前記流入口と前記吹出口とを連結する送風通路を有した本体筐体と、前記送風通路に配される送風機と、前記流入口を覆って択一的に取り付けられる着脱可能な第１装着部及び第２装着部とを備えた送風装置であって、
前記第１装着部は第１吸込口を開口して内部に捕虫空間を形成する第１装着筐体と、前記第１装着筐体に取り付けられるとともに粘着面を有して虫を捕獲する捕虫シートとを有し、
前記第２装着部は第２吸込口を開口する第２装着筐体と、前記第２装着筐体内に配して水を貯水する水槽と、前記水槽に浸漬して吸水するとともに前記第２装着筐体内を流通する空気を加湿する加湿フィルタとを有することを特徴とする。
【００１１】
また本発明は、上記構成の送風装置において、前記第１装着部が第１装着筐体内に前記流入口に面して着脱可能に配されるとともに塵埃を捕集する集塵部を有し、前記第１装着部から取り外された前記集塵部を前記第２装着筐体の第２吸込口と前記加湿フィルタとの間に取り付け可能にしたことを特徴とする。
【００１２】
また本発明は、上記構成の送風装置において、前記第１装着筐体に前記捕虫シートと前記水槽とを同時に取り付け可能にしたことを特徴とする。
【００１３】
また本発明は、上記構成の送風装置において、前記水槽の上面に格子状部材を設けたことを特徴とする。
【００１４】
また本発明は、上記構成の送風装置において、前記第２装着筐体が前記第１装着筐体と共通の部材から成り、前記第１装着筐体に対して前記捕虫シート、前記水槽及び前記加湿フィルタを着脱可能にしたことを特徴とする。
【発明の効果】
【００１５】
本発明によると、本体筐体に択一的に取り付けられる第１装着部及び第２装着部を備え、第１装着部が捕虫シートを有するとともに第２装着部が加湿フィルタを有する。これにより、夏季等に第１装着部を本体筐体に装着して蚊等の虫を捕虫し、ウィルスの活動が活発になる冬季等に第２装着部を本体筐体に装着して室内を加湿することができる。したがって、虫を媒介とする感染症及び空気感染する感染症を予防して感染症の予防効果を向上できるとともに、送風装置を小型化することができる。
【図面の簡単な説明】
【００１６】
【図１】本発明の第１実施形態の送風装置を示す斜視図
【図２】本発明の第１実施形態の送風装置を示す側面断面図
【図３】本発明の第１実施形態の送風装置を示す背面断面図
【図４】本発明の第１実施形態の送風装置の一の装着部を示す正面図
【図５】本発明の第１実施形態の送風装置の他の装着部を示す正面図
【図６】本発明の第２実施形態の送風装置一の装着部を示す正面図
【図７】本発明の第３実施形態の一の装着部を装着した送風装置を示す側面断面図
【図８】本発明の第３実施形態の他の装着部を装着した送風装置を示す側面断面図
【図９】本発明の第３実施形態の送風装置の加湿フィルタを示す斜視図
【発明を実施するための形態】
【００１７】
＜第１実施形態＞
以下に図面を参照して本発明の実施形態を説明する。図１及び図２は第１実施形態の送風装置１のそれぞれ斜視図及び側面断面図を示している。なお、図１及び図２において白抜きの矢印は空気の流れを示している。送風装置１は居室内の床面等に設置されて水平断面形状が略楕円形の本体筐体２を有している。本体筐体２の背面２ａ側には着脱可能な装着部１３（第１装着部）が取り付けられている。なお、本体筐体２の背面２ａ側には装着部１３と後述する装着部１５（第２装着部）とを択一的に取り付けることができる。
【００１８】
本体筐体２の上面の周縁部には透明な樹脂から成るスリーブ部１２が設けられる。本体筐体２の上面前部には操作部６が設けられる。操作部６は複数のボタン（不図示）を有し、使用者の操作によって送風装置１の動作設定を行う。各ボタンの操作によって送風装置１の駆動オンオフ、送風機１０の風量の変更、イオン発生装置１１のオンオフ等を指示することができる。
【００１９】
本体筐体２の背面２ａ及び上面にはそれぞれ流入口２０及び吹出口５が開口している。吹出口５には突出板４５が設けられる。突出板４５は吹出口５の中央部に設けられ、上方に向かって突出する。
【００２０】
本体筐体２内には流入口２０と吹出口５とを連結する送風通路７が設けられる。送風通路７内には流入口２０から吹出口５に向かって（気流の上流から下流に向かって）順にプレフィルタ８、ＨＥＰＡフィルタ９、送風機１０及びイオン発生装置１１が設けられる。なお、プレフィルタ８及びＨＥＰＡフィルタ９により塵埃を集塵する集塵部が構成される。
【００２１】
送風機１０はモータ１０ａにより駆動されるシロッコファンにより形成され、軸方向に吸気して周方向に排気する。プレフィルタ８はＡＢＳ等の合成樹脂で形成された複数段複数列の窓を有する矩形の枠にポリプロピレン製のメッシュを溶着して形成される。メッシュの目の大きさは蚊やハエ等の虫が通過できない大きさに形成される。プレフィルタ８によって空気中の大きな塵埃を捕集することができる。
【００２２】
ＨＥＰＡフィルタ９は濾材９ａを覆うように枠材９ｂがホットメルトにより溶着されている。ＨＥＰＡフィルタ９によって、所定粒径（例えば３μｍ）よりも小さい粒径のＰＭ２．５等の微小粒子状物質を含む空気中の微細な塵埃を捕集することができる。
【００２３】
なお、活性炭等の吸着材を有する脱臭フィルタをプレフィルタ８とＨＥＰＡフィルタ９との間に配置してもよい。これにより、空気中の臭気成分を吸着して空気を脱臭することができる。
【００２４】
イオン発生装置１１は高圧電圧の印加によりイオンを発生する電極（不図示）を有し、電極は送風通路７内に面している。電極には交流波形またはインパルス波形から成る電圧が印加される。電極の印加電圧が正電圧の場合は主としてＨ＋（Ｈ２Ｏ）ｍから成るプラスイオンを発生し、負電圧の場合は主としてＯ２−（Ｈ２Ｏ）ｎから成るマイナスイオンを発生する。ここで、ｍ、ｎは整数である。Ｈ＋（Ｈ２Ｏ）ｍ及びＯ２−（Ｈ２Ｏ）ｎは空気中の浮遊菌や臭気成分の表面で凝集してこれらを取り囲む。
【００２５】
そして、式（１）〜（３）に示すように、衝突により活性種である［・ＯＨ］（水酸基ラジカル）やＨ２Ｏ２（過酸化水素）を微生物等の表面上で凝集生成して浮遊菌等を破壊する。ここで、ｍ’、ｎ’は整数である。したがって、プラスイオン及びマイナスイオンを発生して吹出口５から送出することにより居室内の除菌及び臭い除去を行うことができる。
【００２６】
Ｈ＋(Ｈ２Ｏ)ｍ＋Ｏ２−(Ｈ２Ｏ)ｎ→・ＯＨ＋1/2Ｏ２＋(ｍ＋ｎ)Ｈ２Ｏ ・・・（１）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ 2・ＯＨ＋Ｏ２＋(ｍ＋ｍ'＋ｎ＋ｎ')Ｈ２Ｏ ・・・（２）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ Ｈ２Ｏ２＋Ｏ２＋(ｍ＋ｍ'＋ｎ＋ｎ')Ｈ２Ｏ ・・・（３）
【００２７】
また、プラスイオン及びマイナスイオンが使用者の肌に接触すると、肌に水酸基（ＯＨ基）が付着して肌表面が親水化される。これにより、肌表面に水分子が付着しやすくなり、肌に潤いを与えることができる。
【００２８】
装着部１３には複数の吸込口４（第１吸込口）が開口し、装着部１３と本体筐体２の背面２ａとの間には吸込口４と流入口２０とを連通させる捕虫空間２５が形成される。捕虫空間２５に面した本体筐体２の背面２ａは黒色に形成される。また、捕虫空間２５内には詳細を後述する捕虫シート５１が配される。
【００２９】
図３は送風装置１の本体筐体２の上部の背面断面図を示している。本体筐体２の背面上部には流入口２０に対して外側（装着部１３側）に突出した突出部２８が設けられる。突出部２８は左右方向に延びて形成され、突出部２８の下面の左右方向の中央部には凹部２８ａが凹設される。
【００３０】
凹部２８ａ内の左右端部にはそれぞれ出射面（不図示）が斜め下方を向くように誘引灯２１が配される。これにより、誘引灯２１は捕虫空間２５の上部に面して装着部１３の吸込口４の上方に配置される。誘引灯２１は、蚊等の虫を誘引する約３６５ｎｍの紫外線を出射する紫外線発光ダイオード（不図示）を有する。
【００３１】
凹部２８ａの左右方向の中央部には両面に反射面６１ａが形成された板状の反射部６１が垂設される。反射面６１ａはシボ加工され、誘引灯２１の出射面から出射された光Ｐ１は反射面６１ａで拡散反射する。反射面６１ａで拡散反射した光Ｐ２は捕虫空間２５内を照射するとともに吸込口４を介して居室内に出射される。これにより、使用者が誘引灯２１を直視することを防止することができる。
【００３２】
図４は装着部１３を内側（本体筐体２側）から見た正面図を示している。装着部１３は装着筐体１４（第１装着筐体）及び捕虫シート５１を有している。装着筐体１４は本体筐体２に設けられた係合孔（不図示）に係合する係合爪（不図示）を有する。これにより、装着部１３は本体筐体２に対して着脱可能に取り付けられる。装着筐体１４は後方に凸になるように湾曲し、左右の両端部にはそれぞれ複数（本実施形態では５個）の吸込口４（第１吸込口）が上下に並設される。なお、吸込口４は１個でもよい。
【００３３】
装着筐体１４の内面１４ａには捕虫シート５１が配される。捕虫シート５１は装着筐体１４の四隅に突設された係合部５５に孔部５１ｂを係合して装着される。捕虫シート５１は本体筐体２側の一面に例えばアクリル系の粘着剤を設けた粘着面５１ａを有している。
【００３４】
また、装着筐体１４の内面１４ａには虫を誘引する臭気物質を発生するニオイ発生部７０が設けられる。臭気物質に特に限定はないが、例えば乳酸を挙げることができる。乳酸により蚊等を容易に誘引することができる。
【００３５】
図５は装着部１５（第２装着部）を内側（本体筐体２側）から見た正面図を示している。装着部１５は装着部１３（図４参照）を取り外した本体筐体２の背面２ａに装着される。装着部１５は装着筐体１６（第２装着筐体）及び加湿部３０を有している。装着筐体１６は装着筐体１４と同様に本体筐体２に設けられた係合孔（不図示）に係合する係合爪（不図示）を有する。これにより、装着部１５は本体筐体２に対して着脱可能に取り付けられる。装着筐体１６は装着筐体１４と同様に後方に凸になるように湾曲し、左右の両端部にはそれぞれ複数（本実施形態では５個）の吸込口４０（第２吸込口）が上下に並設される。なお、吸込口４０は１個でもよい。
【００３６】
装着筐体１６の内面１６ａには加湿部３０が設けられる。加湿部３０は水槽３４及び加湿フィルタ３３を有している。水槽３４は装着筐体１６の下部に着脱自在に設けられ、水を貯水する。加湿フィルタ３３は捕虫シート５１と同様に、装着筐体１６の四隅に突設された係合部５５に孔部３３ｂを係合して装着される。加湿フィルタ３３は通気性及び吸水性を有する不織布等により形成され、下部が水槽３４に浸漬される。なお、吸込口４０は加湿フィルタ３３と前後方向に近接している。
【００３７】
上記構成の送風装置１において、蚊等の虫が発生する夏季等に、装着部１３が本体筐体２に装着される。操作部６の操作により送風装置１の運転が指示されると、送風機１０、イオン発生装置１１及び誘引灯２１が駆動される。送風機１０の駆動により、吸込口４を介して居室内の空気が捕虫空間２５内に流入する。
【００３８】
捕虫空間２５に流入した空気は本体筐体２の流入口２０から送風通路７に流入する。この時、プレフィルタ８及びＨＥＰＡフィルタ９により空気中の塵埃が捕集される。また、送風機１０の排気側の送風通路７内を流通する空気にはイオン発生装置１１で発生したイオンが含まれる。そして、イオンを含む空気が吹出口５から送出される。これにより、居室内の空気が清浄化されて循環し、イオンによる除菌及び脱臭を行うことができる。
【００３９】
また、蚊等の虫が誘引灯２１により装着部１３の近傍に誘引され、吸込口４を介して捕虫空間２５に吸い込まれる。捕虫空間２５に進入した虫は捕虫シート５１により捕獲される。
【００４０】
なお、蚊等の虫は黒色を好むことが知られている。本体筐体２の背面２ａ（捕虫空間２５に面した領域）を黒色に形成しているため、装着部１３の近傍に誘引された虫を吸込口４を介して容易に捕虫空間２５に進入させることができる。また、捕虫シート５１を黒色に形成しているため、捕虫空間２５に進入した虫を捕虫シート５１上に容易に誘引させることができる。
【００４１】
一方、ウィルスの活動が活発になる冬季等に、水槽３４に貯水した装着部１５が装着部１３を取り外した本体筐体２に装着される。加湿フィルタ３３は水槽３４から吸水して広い面積で水分を蒸発させ、装着筐体１６内に湿った空気が充満する。
【００４２】
操作部６の操作により送風装置１の運転が指示されると、送風機１０及びイオン発生装置１１が駆動される。送風機１０の駆動により、吸込口４０から装着筐体１６内に吸い込まれた空気は装着筐体１６内で加湿され、本体筐体２の流入口２０から送風通路７に流入する。
【００４３】
送風通路７に流入した空気はプレフィルタ８及びＨＥＰＡフィルタ９により塵埃を捕集され、イオン発生装置１１で発生したイオンが含まれる。そして、イオンを含む空気が吹出口５から送出される。これにより、居室内の空気が清浄化されるとともに加湿されて循環し、イオンによる除菌及び脱臭を行うことができる。これにより、居室内の絶対湿度を上げ、インフルエンザ等の空気感染する感染症を予防することができる。
【００４４】
本実施形態によると、本体筐体２に択一的に取り付けられる装着部１３（第１装着部）及び装着部１５（第２装着部）を備え、装着部１３が捕虫シート５１を有するとともに装着部１５が加湿フィルタ３３を有する。これにより、夏季等に装着部１３を本体筐体２に装着して蚊等の虫を捕虫し、ウィルスの活動が活発になる冬季等に装着部１５を本体筐体２に装着して室内を加湿することができる。したがって、虫を媒介とする感染症及びインフルエンザ等の空気感染する感染症を予防して感染症の予防効果を向上できるとともに、送風装置１を小型化することができる。
【００４５】
また、装着筐体１４に対して捕虫シート５１が着脱可能に取り付けられる。これにより、使用済の捕虫シート５１を交換できる。また、装着筐体１６に対して水槽３４及び加湿フィルタ３３が着脱可能に取り付けられる。これにより、水槽３４を外して水を容易に貯水することができるとともに、経年劣化した加湿フィルタ３３も交換できる。これにより、利便性を向上できる。
【００４６】
＜第２実施形態＞
次に、本発明の第２実施形態について説明する。図６は第２実施形態の送風装置１の側面断面図を示している。説明の便宜上、前述の図１〜図５に示した第１実施形態と同様の部分には同一の符号を付している。本実施形態では、装着筐体１４に水槽３４を取り付け可能にした点及び水槽３４の上面にグリル３４ａ（格子状部材）を設けた点が第１実施形態と異なっている。その他の部分は第１実施形態と同様である。
【００４７】
装着筐体１４の下部には装着筐体１６（図５参照）から取り外された水槽３４が着脱可能に取り付けられる。蚊等の虫は湿気や水分を好むことが知られている。このため、虫が水槽３４の貯水に誘引され、より多くの虫を捕虫空間２５（図２参照）に進入させることができる。
【００４８】
また、水槽３４の上面にはグリル３４ａが設けられる。グリル３４ａはピッチが３ｍｍ以下の格子状に形成される。これにより、水槽３４内へ産卵のための蚊等の進入を防止することができる。
【００４９】
なお、本実施形態において、捕虫シート５１を取り外した装着筐体１４に加湿フィルタ３３を取り付け可能にしてもよい。これにより、装着筐体１６（図５参照）が装着筐体１４と共通の部材により形成され、装着筐体１４に対して捕虫シート５１、水槽３４及び加湿フィルタ３３が着脱可能になる。その結果、装着筐体１４に加湿フィルタ３３及び水槽３４を取り付けて装着部１５（図５参照）を構成し、装着筐体１４に捕虫シート５１及び水槽３４を取り付けて装着部１３を構成することができる。
【００５０】
本実施形態によると、第１実施形態と同様の効果を奏することができる。また、装着筐体１４に捕虫シート５１と水槽３４とを同時に取り付けできるので、より多くの虫を捕獲することができる。
【００５１】
また、装着筐体１６（第２装着筐体）を装着筐体１４（第１装着筐体）と共通の部材により形成することにより、送風装置１の部品点数を削減することができる。
【００５２】
＜第３実施形態＞
次に、図７は第３実施形態の送風装置１の側面断面図を示している。説明の便宜上、前述の図１〜図５に示した第１実施形態と同様の部分には同一の符号を付している。本実施形態は、装着部１３及び装着部１５の構成が異なるとともに、装着部１３及び装着部１５と本体筐体２との装着位置が第１実施形態と異なる。
【００５３】
本体筐体２の背面２ａには装着部１３及び装着部１５（図８参照）が択一的に着脱可能に取り付けられる。本体筐体２には背面２ａに開口する流入口２０と上面に開口する吹出口５とを連通させる送風通路７が形成される。送風通路７内には送風機１０及びイオン発生装置１１が配される。
【００５４】
装着部１３は本体筐体２に取り付けられる装着筐体１４内に第１実施形態と同様の捕虫シート５１、プレフィルタ８、ＨＥＰＡフィルタ９及び誘引灯２１が配される。装着筐体１４は前面に開口面１４ｂを形成し、連通口２４ａを開口した仕切壁２４により前後に仕切られる。仕切壁２４の前方には流入口２０に面してプレフィルタ８及びＨＥＰＡフィルタ９が配され、開口面１４ｂを介してプレフィルタ８及びＨＥＰＡフィルタ９を取り外すことができる。
【００５５】
装着筐体１４の後部側面には吸込口４が開口し、背壁の内面上に捕虫シート５１が配される。装着筐体１４は仕切壁２４上で前後に分割可能に形成され、後部を取り外して捕虫シート５１を交換することができる。
【００５６】
図８は装着部１３を取り外した本体筐体２に装着部１５を装着した側面断面図を示している。装着部１５は装着筐体１６内にプレフィルタ８、ＨＥＰＡフィルタ９及び加湿部３０が配される。
【００５７】
装着筐体１６は前面に開口面１６ｂを形成し、連通口２６ａを開口した仕切壁２６により前後に仕切られる。装着筐体１６の背壁１６ｃ上には吸込口４０が形成される。仕切壁２４の後方にはプレフィルタ８及びＨＥＰＡフィルタ９が配される。装着筐体１６は仕切壁２６上で前後に分割可能に形成され、後部を取り外してプレフィルタ８及びＨＥＰＡフィルタ９を取り外すことができる。
【００５８】
なお、装着部１３からプレフィルタ８及びＨＥＰＡフィルタ９から成る集塵部を取り外して装着部１５の吸込口４０と加湿フィルタ３６との間に取り付けてもよい。これにより、装着部１３及び装着部１５のプレフィルタ８、ＨＥＰＡフィルタ９を共通化し、送風装置１のコストを削減することができる。
【００５９】
仕切壁２６の前方には加湿部３０が配される。これにより、吸込口４０から流入口２０に向かって（気流の上流から下流に向かって）、順にプレフィルタ８、ＨＥＰＡフィルタ９、加湿部３０が配される。
【００６０】
加湿部３０はタンク３５、水槽３４及び加湿フィルタ３６を有している。タンク３５は装着筐体１６の側面の蓋部（不図示）を開いて着脱可能に設けられ、加湿用の水が貯水される。水槽３４は装着筐体１６の底壁上に設けられ、タンク３５から給水して所定の水位に保持される。
【００６１】
加湿フィルタ３６は樹脂成形品の中空の円盤状に形成された保持部３１により円形の吸水材３２を保持して形成される。吸水材３２は通気性及び吸水性を有する不織布等により形成される。保持部３１は装着部１５に軸部３１ａで軸支され、回転可能に配される。
【００６２】
図９は加湿フィルタ３６の斜視図を示している。保持部３１の外周面にはラック３１ｂが形成される。ラック３１ｂは装着部１５に配したモータ（不図示）に取り付けられるピニオン（不図示）に噛合する。モータの駆動により、加湿フィルタ３６は垂直面内で回転する。
【００６３】
保持部３１の軸方向の両端面には開口部３１ｃ及び被覆部３１ｄが設けられる。被覆部３１ｄは部分円形状に形成され、吸水材３２を覆う。開口部３１ｃは被覆部３１ｄの非形成部分に複数開口し、吸水材３２が露出する。
【００６４】
加湿フィルタ３６はモータにより回転し、開口部３１ｃを介して吸水材３２が水槽３４（図８参照）内に浸漬して吸水する。また、モータの停止時に被覆部３１ｄを水槽３４内に浸漬して吸水材３２の吸水を回避し、吸水材３２の雑菌の繁殖が防止される。
【００６５】
上記構成の送風装置１において、夏季等に装着部１３が本体筐体２に装着され、送風機１０、イオン発生装置１１及び誘引灯２１が駆動される。これにより、吸込口４を介して居室内の空気が捕虫空間２５内に流入し、流入口２０を介して送風通路７を流通する。送風通路７を流通する空気はプレフィルタ８及びＨＥＰＡフィルタ９により塵埃を捕集され、イオン発生装置１１で発生したイオンが含まれる。そして、イオンを含む空気が吹出口５から送出される。また、誘引灯２１により誘引された虫が吸込口４を介して捕虫空間２５に吸い込まれ、捕虫シート５１により捕獲される。
【００６６】
また、冬季等に装着部１５が本体筐体２に装着され、送風機１０、イオン発生装置１１及び加湿部３０が駆動される。加湿部３０のモータの駆動により加湿フィルタ３６の吸水材３２が水槽３４から吸水する。
【００６７】
居室内の空気は吸込口４０を介して装着部１５内に流入し、プレフィルタ８及びＨＥＰＡフィルタ９により塵埃を捕集される。塵埃を捕集された空気は加湿フィルタ３６を通過して加湿され、流入口２０を介して送風通路７に流入する。送風通路７を流通する空気はイオン発生装置１１で発生したイオンが含まれ、吹出口５から送出される。これにより、居室内の空気が清浄化されるとともに加湿される。
【００６８】
本実施形態によると、第１実施形態と同様の効果を奏することができる。また、装着部１３のプレフィルタ８、ＨＥＰＡフィルタ９（集塵部）を取り外して装着筐体１６に取り付け可能に形成すると、送風装置１のコストを削減することができる。
【産業上の利用可能性】
【００６９】
本発明は居室内を加湿する送風装置に利用することができる。
【符号の説明】
【００７０】
１      送風装置
２      本体筐体
２ａ    背面
４      吸込口（第１吸込口）
５      吹出口
６      操作部
７      送風通路
８      プレフィルタ
９      ＨＥＰＡフィルタ
１０      送風機
１１      イオン発生装置
１３      装着部（第１装着部）
１４      装着筐体（第１装着筐体）
１４ａ    内面
１４ｂ    開口面
１５      装着部（第２装着部）
１６      装着筐体（第２装着筐体）
１６ｂ    開口面
２０      流入口
２１      誘引灯
２５      捕虫空間
２８      突出部
３０      加湿部
３１      保持部
３１ｃ    開口部
３１ｄ    被覆部
３２      吸水材
３３、３６  加湿フィルタ
３４      水槽
３４ａ    グリル
３５      タンク
４０      吸込口（第２吸込口）
５１      捕虫シート
５１ａ    粘着面
５５      係合部
６１      反射部
７０      ニオイ発生部
【図１】
2018004212.tif 000003
【図２】
2018004212.tif 000004
【図３】
2018004212.tif 000005
【図４】
2018004212.tif 000006
【図５】
2018004212.tif 000007
【図６】
2018004212.tif 000008
【図７】
2018004212.tif 000009
【図８】
2018004212.tif 000010
【図９】
2018004212.tif 000011